(57)【特許請求の範囲】
【請求項１】
軸部と握り部を有する全体としてＬ型形状の建具用レバーハンドルに於いて、レバーハンドル１を透明の材質で形成し、またレバーハンドル１の握り部５内に液体収納部６を形成し、この液体収納部６には、水準基面用の空気９を有する液体７を封入したことを特徴とする建具用レバーハンドル。
【請求項２】
請求項１に於いて、液体７には蛍光物質が混在していることを特徴とする建具用レバーハンドル。
【請求項３】
軸部と握り部有する全体としてＬ型形状の建具用レバーハンドルに於いて、レバーハンドル１Ａを透明の材質で形成し、またレバーハンドル１Ａの握り部５Ａ内に液体収納部６Ａを形成し、この液体収納部６Ａには、水準基面用の球体９Ａを有する液体７Ａを封入したことを特徴とする建具用レバーハンドル。
【請求項４】
請求項３に於いて、球体９Ａは少なくとも１個以上のビー玉であり、液体収納部６Ａの内壁水平底面１１を転動することを特徴とする建具用レバーハンドル。
【請求項５】
軸部と握り部有する全体としてＬ型形状の建具用レバーハンドルに於いて、レバーハンドル１Ｂを透明の材質で形成し、またレバーハンドル１Ｂの握り部５Ｂ内に液体収納部６Ｂを形成し、この液体収納部６Ｂには、水準基面用の第１液体７Ｂと、この第１液体７Ｂに対して性質上分離する水準基面用の第２液体１５とをそれぞれ封入したことを特徴とする建具用レバーハンドル。
【請求項６】
請求項５に於いて、第１液体７Ｂは有彩色の水であり、一方、第２液体１５は高粘性油であることを特徴とする建具用レバーハンドル。
【請求項７】
請求項６に於いて、第１液体７Ｂには蛍光物質が混在していることを特徴とする建具用レバーハンドル。
【発明の詳細な説明】
【０００１】
【発明の属する技術分野】
本発明は、建具用レバーハンドルに関し、特に軸部と握り部有する全体としてＬ型形状の建具用レバーハンドルに関する。
【０００２】
【従来の技術】
一般に建具用レバーハンドルを創作する場合、当業者の間では視覚上最も目に触れ易い握り部の形状が重視されている。そのため、現在、握り部の形状に美的な創作がなされた色々意匠が実施されている。
【０００３】
ところで、建具用レバーハンドルは、機能的にはラッチボルトをフロント板の垂直面へと後退させ、又はフロント板から突出させる操作手段の１つである。この建具用レバーハンドルは周知のように錠箱、ラッチケース等に内装されたハンドルカム軸に一体的に取付けられる。ハンドルカム軸は、ラッチボルトの出没機構を構成する部材の１つであるが、このハンドルカム軸が錠箱内に他の部材と共に正確な位置に取付けられていないと、当然、ハンドルカム軸に取付けられる内側又は外側レバーハンドルの握り部は、厳密な意味では水平状態とはならないすい。そこで、ラッチボルトの出没機構を構成する各部材（水平移動板、駆動カム板、ハンドルカム軸等）の組合わせが正確であるか否かを外部から目視により簡単に知ることができる手段が現在要望されている。
【０００４】
【発明が解決しようとする課題】
本発明は以上のような従来の要望点に鑑み、第１の目的は、ラッチボルトの出没機構を構成する各部材（水平移動板、駆動カム板、ハンドルカム軸等）の組合わせが正確であるか否かを外部から目視により簡単に知ることができる建具用レバーハンドルを提供することである。第２の目的は、技術的な面のみならず意匠的効果を高めることができる建具用レバーハンドルを提供することである。
【０００５】
【課題を解決するための手段】
本発明の建具用レバーハンドルは、軸部と握り部を有する全体としてＬ型形状の建具用レバーハンドルに於いて、レバーハンドル１を透明の材質で形成し、またレバーハンドル１の握り部５内に液体収納部６を形成し、この液体収納部６には、水準基面用の空気９を有する液体７を封入したことを特徴とする。
【０００６】
また軸部と握り部有する全体としてＬ型形状の建具用レバーハンドルに於いて、レバーハンドル１Ａを透明の材質で形成し、またレバーハンドル１Ａの握り部５Ａ内に液体収納部６Ａを形成し、この液体収納部６Ａには、水準基面用の球体９Ａを有する液体７Ａを封入したことを特徴とする。
【０００７】
さらに、軸部と握り部有する全体としてＬ型形状の建具用レバーハンドルに於いて、レバーハンドル１Ｂを透明の材質で形成し、またレバーハンドル１Ｂの握り部５Ｂ内に液体収納部６Ｂを形成し、この液体収納部６Ｂには、水準基面用の第１液体７Ｂと、この第１液体７Ｂに対して性質上分離する水準基面用の第２液体１５とを封入したことを特徴とする。
【０００８】
【発明の実施の形態】
以下、図面に示す本発明の実施の形態を図１乃至図３で示す第１実施例で説明する。まず図１は建具用レバーハンドルの使用状態を示す概略説明図である。建具用レバーハンドル１は、周知のように扉２の開放側に丸座３或いは長座と共に取付けられる。レバーハンドル１は各種形態のものが存在するが、基本的には、図示しないハンドルカム軸に一体的に連結される軸部４と、この軸部４に対して直角方向に連設する握り部５とから成り、全体としてＬ型形状をしている。
【０００９】
しかして、第１実施例の建具用レバーハンドル１は、全体が透明の材質で形成されている。材質としては、いわゆる強化ガラス、強化プラスチックス等が採用されている。握り部５は、軸部側５ａから先端部側５ｂに至るまで全体として下方方向の湾曲と成っている。この場合軸部側又は先端部側の幅を自由にデザイン設計（例えば先端部側を先細り状にする。）しても良いことはもちろんである
。
【００１０】
６は握り部５内に形成されたやや湾曲状の液体収納部で、この液体収納部６は、本実施例では軸部側５ａから先端部側５ｂにかけて形成されている。
【００１１】
７は液体収納部６に封入された水、アルコール等の液体である。この場合液体７に特に図示しないが蛍光物質を混入されている。したがって、特に夜には暗い場所に存するレバーハンドル１の存在が蛍光物質の発光により知ることができる。この液体７は、握り部５の背部（内壁面側）に形成され、かつ、液体収納部６に連通する小さな液体封入口８から封入される。液体７が液体封入口８から液体収納部６に適宜に封入した後に、該液体封入口８は握り部５と同一の材料で封止されている。液体７は白色、黒色、灰色の無彩色でも、又は青色、紫色、黄色、ピンク色等の有彩色のいずれでも良い。
【００１２】
９は液体７中に混入した或いは残された気泡状の空気である。気泡状の空気９はレバーハンドル１の傾き及び該レバーハンドル１の傾きを介してラッチボルトの出没機構を構成する各部材（水平移動板、駆動カム板、ハンドルカム軸等）の組合わせが正確であるか否かを外部から目視により確かめるために液体収納部６に液体７と一緒に入れられる。この場合空気９は、水準基面の機能を有するのであれば、本実施例のように気泡状のみならず、やや大きめの空気玉を形成する空気、或いは液体７に対して境界線のような水平面を形成するやや多量の空気であっても良い。
【００１３】
以上の説明から明らかなように、本発明の建具用レバーハンドル１は、技術的面に着目すると、水準器の機能を有する。したがって、建具用レバーハンドル１を扉２に丸座３と共に取付けた場合に於いて、ラッチケース又は錠箱内に図示し
ないラッチボルト駆動カム板や該駆動カム板に一体的に取付けられたハンドルカム軸がそれぞれ正確に組み合っていれば、当該建具用レバーハンドル１をハンドルカム軸に固定した際、当然、建具用レバーハンドル１の気泡状の空気９が握り部５の略中央部に来る。一方、前記ハンドルカム軸の位置が左右いずれかにズレている場合には、液体収納部６内の前記気泡状の空気９は、先端部側５ｂ又は軸部側５ａの方へ偏る。
【００１４】
そこで、ラッチボルト出没機構を構成する各部材の組合わせが不正確であり、その結果、建具用レバーハンドル１の握り部５が所望の水平状態になっていないことを目視により知ることができる。
【００１５】
【実施例】
この欄では、第１実施例と発明の目的が同一である第２実施例及び第３実施例について説明する。なお、これらの実施例の説明に当って、第１実施例と同一構成の部分には同一又は同様の符号を付し、重複する説明を省略する。
【００１６】
図４乃至図７に記載の第２実施例は、気泡状の空気９に代えて転動する球体  （例えばビー玉。）９Ａを液体収納部６Ａの液体７Ａ中に入れた点が第１実施例と相違する。
【００１７】
しかして、第２実施例の建具用レバーハンドル１Ａの握り部５Ａは、軸部側５ａから先端部側５ｂに至るまで全体として腹部（内壁面）側に湾曲と成っているものの、軸部側５ａから先端部側５ｂに至るまでの背部（外壁面）の縦方向の幅は略同一である。そして、握り部５Ａに形成された液体収納部６Ａの内壁底面１１は、第１実施例のそれとは相違し、球体（例えばビー玉。）９Ａの水準基面の機能発揮との関係で望ましくは略水平面となっている。
【００１８】
また液体収納部６Ａの内壁水平底面１１を転動する球体９Ａは、少くとも１個あれば十分であるが、本実施例では技術的効果をより高めるために、複数個（例えば３個）用いられている。すなわち、物理的に１個の球体９Ａの場合よりも複数個の場合の方が転動し易くなるので、レバーハンドル１Ａの僅かな傾倒状態も知ることができる。また意匠的な観点からは、球体９Ａと相俟って意匠的効果を訴えるために、前記液体７Ａは有彩色（例えばブルー、ピンク等）であることが望ましい。なお、前記液体７Ａには、第１実施例と同様に蛍光物質が混在している。
【００１９】
上記構成に於いても、建具用レバーハンドル１Ａを扉２に取付けた際に、その握り部５Ａが水平状態でないと、図７で示すように球体の一例としてのビー玉９Ａは、液体収納部６Ａの内壁底面１１を軸部側５ａ又は先端部側５ｂのいずれかの方向へ転動する。
【００２０】
図８乃至図１１に記載の第３実施例は、気泡状の空気９に代えて第１液体７Ｂ（例えば水）に対して性質上分離する第２液体（例えば油）１５を液体収納部６Ｂに収納した点が第１実施例と相違する。
【００２１】
しかして、第３実施例の建具用レバーハンドル１Ｂの握り部５Ｂの形状は、第１実施例のそれと同一であるが、握り部５Ｂに形成された液体収納部６Ｂはやや大きめに形成されている。前記第１液体７Ｂは「水」であるが、この場合視覚上の識別性、或いは意匠的な効果を考慮し、ブルー、ピンク、オレンジ等の有彩色を付与した水であるのが望ましい。また前記第２液体１５は「油」であるが、この場合工業用油や工業用油脂の中で望ましくは高粘性油が採用されている。なお、前記第１液体７Ｂには、第１実施例と同様に蛍光物質が混在している。
【００２２】
上記構成に於いても、建具用レバーハンドル１Ｂを扉２に取付けた際に、その握り部５Ｂが水平状態でないと、第１液体７Ｂと第２液体１５との分離した境界線１６が斜めに見える。したがって、ハンドルカム軸等の位置が正確でないことが分かる。なお、この建具用レバーハンドル１Ｂは、図１１で示すように使用中に操作者が操作する度に第１液体７Ｂと第２液体１５が液体収納部６Ｂ内で波のように揺れるので、視覚上意匠的な面白さがある。それ故に、液体収納部６Ｂ内に「ヨット、魚、イルカ等」の意匠的効果を発揮することができる動的物品を入れても良い。
【００２３】
【発明の効果】
以上の説明から明らかなように、本発明にあっては次に列挙するような効果がある。
（１）レバーハンドルが扉に水平状態に取付けられているか否かのみではなく、レバーハンドルの取付け状態を介し、錠箱内のラッチボルトの出没機構を構成する各部材（水平移動板、駆動カム板、ハンドルカム軸等）の組合せが正確であるか否かを外部から目視により簡単に知ることができる。
（２）透明の握り部に液体収納部を形成したので、液体を有彩色（俗に色を付けること。）にしたり、或いは液体中に動的な物品（例えばカラフルなビー玉、浮遊的な犠牲小魚等）を入れたりすることにより、技術的効果のみならず意匠的効果を高めることができる。
（３）請求項２及び請求項７に記載の発明は、暗い場所に於いて、扉のレバーハンドルの場所を容易に確認することができる。
【図面の簡単な説明】
図１乃至図３は本発明の第１実施例を示す各説明図。図４乃至図７は本発明の第２実施例を示す各説明図。図８乃至図１１は本発明の第３実施例を示す各説明図。
【図１】第１実施例の発明の実施の形態を示す説明図。
【図２】握り部を正面側から見た概略説明図。
【図３】図２の３−３線拡大断面図。
【図４】第２実施例の発明の実施の形態を示す説明図。
【図５】握り部を正面側から見た概略説明図。
【図６】図５の６−６線拡大断面図。
【図７】扉に取付けたレバーハンドルが偏っている状態の説明図。
【図８】第３実施例の発明の実施の形態を示す説明図。
【図９】握り部を正面側から見た概略説明図。
【図１０】図９の１０−１０線拡大断面図。
【図１１】レバーハンドルを操作した直後の説明図。
【符号の説明】
１、１Ｂ、１Ｃ…レバーハンドル、２…扉、３…丸座、４…軸部、５、５Ａ、５Ｂ…握り部、５ａ…軸部側、５ｂ…先端部側、６、６Ａ、６Ｂ…液体収納部、７、７Ａ…液体、７Ｂ…第１液体、８…液体封入口、９…空気、９Ａ…球体、１１…内壁底面、１５…第２液体、１６…境界線。
【図１】
0004063366.tif 000002
【図２】
0004063366.tif 000003
【図３】
0004063366.tif 000004
【図４】
0004063366.tif 000005
【図５】
0004063366.tif 000006
【図６】
0004063366.tif 000007
【図７】
0004063366.tif 000008
【図８】
0004063366.tif 000009
【図９】
0004063366.tif 000010
【図１０】
0004063366.tif 000011
【図１１】
0004063366.tif 000012